(57)【要約】【課題】  移動通信端末機の内部で地域時間オフセットの精度を拡張して、３０分単位の地域時間オフセットを１５分単位の地域時間オフセットに補正することで、３０分単位の地域時間オフセットによっては地域時間を算出し得ない地域に対しても正確に地域時間を算出し得る移動通信端末機の地域時間補正方法を提供する。【解決手段】  基地局から時間情報が含まれた同期チャネルメッセージを受信する移動通信端末機であって、前記同期チャネルメッセージに含まれた６ビットの地域時間オフセット（ＬＴＭ＿ＯＦＦ）を７ビットの地域時間オフセットに拡張して、該当地域における実際の地域時間オフセットに換算する段階と、前記換算された地域時間オフセット（ｅｘｔｅｎｄ＿ＬＴＭ＿ＯＦＦ）及び前記時間情報を利用して、現在の地域における地域時間を算出する段階と、を行うことで移動通信端末機の地域時間を補正する。【選択図】  図１
2004343758.tif 000002
【特許請求の範囲】
【請求項１】
基地局から時間情報が含まれた同期チャネルメッセージを受信する移動通信端末機であって、
前記同期チャネルメッセージに含まれた６ビットの地域時間オフセット（ＬＴＭ＿ＯＦＦ）を７ビットの地域時間オフセットに拡張して、該当地域における実際の地域時間オフセットに換算する段階と、
前記換算された地域時間オフセット（ｅｘｔｅｎｄ＿ＬＴＭ＿ＯＦＦ）及び前記時間情報を利用して、現在の地域における地域時間を算出する段階と、を行うことを特徴とする移動通信端末機の地域時間補正方法。
【請求項２】
前記地域時間は、下記式により算出され、
地域時間＝ＳＹＳ＿ＴＩＭＥ−（ＬＰ＿ＳＥＣ＊１２．５）＋（ｅｘｔｅｎｄ＿ＬＴＭ＿ＯＦＦ＊１１２５０）
上式中、「ＳＹＳ＿ＴＩＭＥ」はＵＴＣ（ｃｏｏｒｄｉｎａｔｅｄ  ｕｎｉｖｅｒｓａｌ  ｔｉｍｅ）、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）であることを特徴とする請求項１記載の移動通信端末機の地域時間補正方法。
【請求項３】
前記実際の地域時間オフセットに換算する段階は、
６ビットの地域時間オフセットを７ビットの地域時間オフセットに拡張する段階と、
移動通信端末機に既保存されたクオーター・フラグ（ｑｕａｒｔｅｒ  ｆｌａｇ）を前記７ビットの地域時間オフセットに加算する段階と、を行うことを特徴とする請求項１記載の移動通信端末機の地域時間補正方法。
【請求項４】
前記７ビットの地域時間オフセットに拡張する段階は、
６ビットの地域時間オフセットを１ビット算術左シフト（ａｒｉｔｈｍｅｔｉｃ  ｌｅｆｔ  ｓｈｉｆｔ）する段階と、
最下位のビットに０を追加する段階と、を行うことを特徴とする請求項３記載の移動通信端末機の地域時間補正方法。
【請求項５】
前記クオーター・フラグは、＋１、０、−１に該当する２の補数「００００００１」、「０００００００」、「１１１１１１１」で、移動通信端末機の内部メモリに保存されていることを特徴とする請求項３記載の移動通信端末機の地域時間補正方法。
【請求項６】
前記クオーター・フラグは、７ビットに拡張された地域時間オフセットと該当地域における実際の地域時間オフセットとの誤差であることを特徴とする請求項３記載の移動通信端末機の地域時間補正方法。
【請求項７】
基地局から時間情報が含まれた同期チャネルメッセージを受信する段階と、
前記同期チャネルメッセージから６ビットの地域時間オフセット（ＬＴＭ＿ＯＦＦ）を検出して７ビットに拡張する段階と、
前記拡張された地域時間オフセットと移動通信端末機の内部に保存されているクオーター・フラグとを加算する段階と、
前記加算された結果（ｅｘｔｅｎｄ＿ＬＴＭ＿ＯＦＦ）及び時間情報を利用して地域時間を計算する段階と、
前記地域時間を移動通信端末機の画面出力形式に変換してディスプレイする段階と、を行うことを特徴とする移動通信端末機の地域時間補正方法。
【請求項８】
前記７ビットの地域時間オフセットに拡張する段階は、
ＧＭＴ（Ｇｒｅｅｎｗｉｃｈ  Ｍｅａｎ  Ｔｉｍｅ）に対し３０分単位でカウントされた６ビットの地域時間オフセットを、１５分単位でカウントされた地域時間オフセットに換算することを特徴とする請求項７記載の移動通信端末機の地域時間補正方法。
【請求項９】
前記７ビットの地域時間オフセットに拡張する段階は、
６ビットの地域時間オフセットを１ビット算術左シフトする段階と、
最下位ビットに０を追加する段階と、を行うことを特徴とする請求項７記載の移動通信端末機の地域時間補正方法。
【請求項１０】
前記クオーター・フラグは、７ビットに拡張された地域時間オフセットと該当地域における実際の地域時間オフセットとの誤差であることを特徴とする請求項７記載の移動通信端末機の地域時間補正方法。
【請求項１１】
前記クオーター・フラグは、
ＧＭＴに対し誤差が＋１５分であると、＋１に該当する「００００００１」で、
−１５分であると、−１に該当する「１１１１１１１（２の補数）」で、
その他の場合は、「０００００００」であることを特徴とする請求項１０記載の移動通信端末機の地域時間補正方法。
【請求項１２】
前記地域時間を計算する段階は、
７ビットの地域時間オフセット（ｅｘｔｅｎｄ＿ＬＴＭ＿ＯＦＦ）及び時間情報を１０進数に置換する段階と、
該置換された値を下記式に代入して計算する段階と、を行い、
地域時間＝ＳＹＳ＿ＴＩＭＥ−（ＬＰ＿ＳＥＣ＊１２．５）＋（ｅｘｔｅｎｄ＿ＬＴＭ＿ＯＦＦ）＊１１２５０）
上式中、「ＳＹＳ＿ＴＩＭＥ」はＵＴＣ、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）であることを特徴とする請求項７記載の移動通信端末機の地域時間補正方法。
【請求項１３】
基地局に伝送された同期チャネルメッセージから６ビットの地域時間オフセットを検出する段階と、
前記６ビットの地域時間オフセットを７ビットに拡張して、３０分単位の地域時間オフセットを１５分単位の地域時間オフセットに変換する段階と、
移動通信端末機の内部メモリに保存されたクオーター・フラグを選択する段階と、
前記７ビットの地域時間オフセットとクオーター・フラグとを加算して、実際の地域時間オフセットに補正する段階と、
前記補正された地域時間オフセット及び同期チャネルメッセージに含まれた時間情報を下記式に代入して計算する段階と、
該計算された結果値を移動通信端末機の画面出力形式に変換してディスプレイする段階と、を行い、
地域時間＝ＳＹＳ＿ＴＩＭＥ−（ＬＰ＿ＳＥＣ＊１２．５）＋（ｅｘｔｅｎｄ＿ＬＴＭ＿ＯＦＦ＊１１２５０）
上式中、「ＳＹＳ＿ＴＩＭＥ」はＵＴＣ、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）であることを特徴とする移動通信端末機の地域時間補正方法。
【請求項１４】
前記７ビットの地域時間オフセットに拡張する段階は、
６ビットの地域時間オフセットを１ビット算術左シフトし、最下位のビットに０を追加する段階を行うことを特徴とする請求項１３記載の移動通信端末機の地域時間補正方法。
【請求項１５】
前記クオーター・フラグは、
同期チャネルメッセージの地域時間オフセットとＧＭＴに対する実際の時間との誤差が＋１５分であると、「００００００１」に設定され、
誤差が−１５分であると、「１１１１１１１（−１に対する２の補数）」に設定され、
誤差がないと、「０００００００」に設定されることを特徴とする請求項１３記載の移動通信端末機の地域時間補正方法。
【請求項１６】
前記計算する段階は、
補正された地域時間オフセット及び時間情報を１０進数に置換して代入することを特徴とする請求項１３記載の移動通信端末機の地域時間補正方法。
【発明の詳細な説明】
【技術分野】
【０００１】
本発明は、移動通信端末機の地域時間補正方法に関するもので、詳しくは、移動通信端末機自体で地域時間オフセットに対する精度を拡張する移動通信端末機の地域時間補正方法に関するものである。
【背景技術】
【０００２】
一般に、移動通信システムにおいて、ＣＤＭＡ（ｃｏｄｅ  ｄｉｖｉｓｉｏｎ  ｍｕｌｔｉｐｌｅ  ａｃｃｅｓｓ）端末機は、同期チャネルを通して基地局から同期チャネルメッセージを受信し、現在ＣＤＭＡ端末機が位置している場所に対する地域時間を計算する。
【０００３】
表１は、ＣＤＭＡ標準同期チャネルメッセージのデータ構造を示したもので、現在システムでサービスしているプロトコルバージョン（Ｐ＿ＲＥＶ）フィールドと、時間に関連するフィールドとして、システムタイム（ｓｙｓｔｅｍ  ｔｉｍｅ；ＳＹＳ＿ＴＩＭＥ）、うるう秒（ｌｅａｐ  ｓｅｃｏｎｄｓ；ＬＰ＿ＳＥＣ）、地域時間オフセット（ｏｆｆｓｅｔ  ｏｆ  ｌｏｃａｌ  ｔｉｍｅ；ＬＴＭ＿ＯＦＦ）及び夏時間（ｄａｙｌｉｇｈｔ  ｓａｖｉｎｇｓ  ｔｉｍｅ；ＤＡＹＬＴ）などを含む。
【０００４】
【表１】
2004343758.tif 000003
前記システムタイム（ＳＹＳ＿ＴＩＭＥ）は、ＵＴＣ（ｃｏｏｒｄｉｎａｔｅｄ  ｕｎｉｖｅｒｓａｌ  ｔｉｍｅ）に同期し、１９８０年１月６日０時０分０秒を基準として経過した８０ｍｓ単位のカウント値で、ＧＰＳ（Ｇｌｏｂａｌ  Ｐｏｓｉｔｉｏｎ  Ｓｙｓｔｅｍ）時刻と一致する。
【０００５】
また、前記地域時間オフセット（ＬＴＭ＿ＯＦＦ）は、該当地域のＧＭＴ（Ｇｒｅｅｎｗｉｃｈ  Ｍｅａｎ  Ｔｉｍｅ）補正値を示し、３０分単位で１ずつカウントされ、６ビットの２の補数で表示される。このとき、前記６ビットで補正可能な範囲は−３２〜３１で、３０分単位の時間に換算すると、−１６時間から＋１５時間３０分までである。
【０００６】
例えば、米国カンザスシティーのＬＴＭ＿ＯＦＦは、１１０１００（６ビット、２の補数）で、これは１０進数では−１２となり、３０分毎に１ずつカウントされた値であるので、実際には−６時間である。即ち、前記カンザスシティーのＬＴＭ＿ＯＦＦは、ＧＭＴ−６：００である。
【０００７】
また、前記夏時間（ＤＡＹＬＴ）指標は、夏時間が有効な場合は「１」で、有効でない場合は「０」である。
【０００８】
従来地域時間は、前記同期チャネルから時間関連データを抽出し、式１に代入して計算する。
【０００９】
地域時間＝ＳＹＳ＿ＴＩＭＥ−（ＬＰ＿ＳＥＣ＊１２．５）＋（ＬＴＭ＿ＯＦＦ＊２２５００）
上式中、「１２．５」は、１秒を８０ｍｓ単位に統一するために使用するカウント値（１ｓｅｃ／８０×１０−３ｓｅｃ）で、「２５０００」は、３０分（０．５ｈｏｕｒ）を８０ｍｓ単位に統一するために使用するカウント値である。
【００１０】
前記式１により計算された地域時間は、該当地域で１９８０年１月６日０時０分０秒以後の時間を８０ｍｓ単位でカウントした値で、移動通信端末機は、前記地域時間を適用してディスプレイ部上に現在の位置での現在時刻を出力する。
【００１１】
前述したように、移動通信端末機は、大部分の国家でＧＭＴを基準として３０分単位で地域時間を補正するようになっているが、ネパール（ＧＭＴ＋５：４５）やニュージーランドの一部地域（ＧＭＴ＋１２：４５）などでは、ＧＭＴに対し３０分でない１５分単位の差が発生する。
【発明の開示】
【発明が解決しようとする課題】
【００１２】
このような従来の移動通信端末機の地域時間補正方法においては、３０分単位でカウントされたＬＴＭ＿ＯＦＦフィールドの値を利用して地域時間を計算するため、ネパール（ＧＭＴ＋５：４５）のようにＧＭＴに対し１５分の差がある地域の移動通信端末機は、実際の現地時刻よりも最大−１５分（ＧＭＴ＋５：３０の場合）または＋１５分（ＧＭＴ＋６：００の場合）程度の誤差が発生するという問題点があった。
【００１３】
また、このような問題点を解決するためには、従来のＣＤＭＡ標準を変更して、ＬＴＭ＿ＯＦＦフィールドの値を１５分単位の７ビット値に変更しなければならないが、前記ＣＤＭＡ標準を変更すると、既に全世界に普及している移動通信システムを全て変更しなければならないという問題点がある。
【００１４】
本発明は、このような従来の課題に鑑みてなされたもので、移動通信端末機の内部で地域時間オフセットの精度を拡張して、３０分単位の地域時間オフセットを１５分単位の地域時間オフセットに補正することで、３０分単位の地域時間オフセットによっては地域時間を算出し得ない地域に対しても正確に地域時間を算出し得る移動通信端末機の地域時間補正方法を提供することを目的とする。
【課題を解決するための手段】
【００１５】
本発明により、基地局から時間情報が含まれた同期チャネルメッセージを受信する移動通信端末機であって、前記同期チャネルメッセージに含まれた６ビットの地域時間オフセット（ＬＴＭ＿ＯＦＦ）を７ビットの地域時間オフセットに拡張して、該当地域における実際の地域時間オフセットに換算する段階と、前記換算された地域時間オフセット（ｅｘｔｅｎｄ＿ＬＴＭ＿ＯＦＦ）及び前記時間情報を利用して、現在の地域における地域時間を算出する段階と、を行うことを特徴とする移動通信端末機の地域時間補正方法が提供され、これにより、上記目的が達成される。
【００１６】
前記地域時間は、下記式により算出され、地域時間＝ＳＹＳ＿ＴＩＭＥ−（ＬＰ＿ＳＥＣ＊１２．５）＋（ｅｘｔｅｎｄ＿ＬＴＭ＿ＯＦＦ＊１１２５０）の式中、「ＳＹＳ＿ＴＩＭＥ」はＵＴＣ（ｃｏｏｒｄｉｎａｔｅｄ  ｕｎｉｖｅｒｓａｌ  ｔｉｍｅ）、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）であってもよい。
【００１７】
前記実際の地域時間オフセットに換算する段階は、６ビットの地域時間オフセットを７ビットの地域時間オフセットに拡張する段階と、移動通信端末機に既保存されたクオーター・フラグ（ｑｕａｒｔｅｒ  ｆｌａｇ）を前記７ビットの地域時間オフセットに加算する段階と、を行ってもよい。
【００１８】
前記７ビットの地域時間オフセットに拡張する段階は、６ビットの地域時間オフセットを１ビット算術左シフト（ａｒｉｔｈｍｅｔｉｃ  ｌｅｆｔ  ｓｈｉｆｔ）する段階と、最下位のビットに０を追加する段階と、を行ってもよい。
【００１９】
前記クオーター・フラグは、＋１、０、−１に該当する２の補数「００００００１」、「０００００００」、「１１１１１１１」で、移動通信端末機の内部メモリに保存されていてもよい。
【００２０】
前記クオーター・フラグは、７ビットに拡張された地域時間オフセットと該当地域における実際の地域時間オフセットとの誤差であってもよい。
【００２１】
本発明により、基地局から時間情報が含まれた同期チャネルメッセージを受信する段階と、前記同期チャネルメッセージから６ビットの地域時間オフセット（ＬＴＭ＿ＯＦＦ）を検出して７ビットに拡張する段階と、前記拡張された地域時間オフセットと移動通信端末機の内部に保存されているクオーター・フラグとを加算する段階と、前記加算された結果（ｅｘｔｅｎｄ＿ＬＴＭ＿ＯＦＦ）及び時間情報を利用して地域時間を計算する段階と、前記地域時間を移動通信端末機の画面出力形式に変換してディスプレイする段階と、を行うことを特徴とする移動通信端末機の地域時間補正方法が提供され、これにより、上記目的が達成される。
【００２２】
前記７ビットの地域時間オフセットに拡張する段階は、ＧＭＴ（Ｇｒｅｅｎｗｉｃｈ  Ｍｅａｎ  Ｔｉｍｅ）に対し３０分単位でカウントされた６ビットの地域時間オフセットを、１５分単位でカウントされた地域時間オフセットに換算してもよい。
【００２３】
前記７ビットの地域時間オフセットに拡張する段階は、６ビットの地域時間オフセットを１ビット算術左シフトする段階と、最下位ビットに０を追加する段階と、を行ってもよい。
【００２４】
前記クオーター・フラグは、７ビットに拡張された地域時間オフセットと該当地域における実際の地域時間オフセットとの誤差であってもよい。
【００２５】
前記クオーター・フラグは、ＧＭＴに対し誤差が＋１５分であると、＋１に該当する「００００００１」で、−１５分であると、−１に該当する「１１１１１１１（２の補数）」で、その他の場合は、「０００００００」であってもよい。
【００２６】
前記地域時間を計算する段階は、７ビットの地域時間オフセット（ｅｘｔｅｎｄ＿ＬＴＭ＿ＯＦＦ）及び時間情報を１０進数に置換する段階と、該置換された値を下記式に代入して計算する段階と、を行い、地域時間＝ＳＹＳ＿ＴＩＭＥ−（ＬＰ＿ＳＥＣ＊１２．５）＋（ｅｘｔｅｎｄ＿ＬＴＭ＿ＯＦＦ）＊１１２５０）の式中、「ＳＹＳ＿ＴＩＭＥ」はＵＴＣ、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）であってもよい。
【００２７】
本発明により、基地局に伝送された同期チャネルメッセージから６ビットの地域時間オフセットを検出する段階と、前記６ビットの地域時間オフセットを７ビットに拡張して、３０分単位の地域時間オフセットを１５分単位の地域時間オフセットに変換する段階と、移動通信端末機の内部メモリに保存されたクオーター・フラグを選択する段階と、前記７ビットの地域時間オフセットとクオーター・フラグとを加算して、実際の地域時間オフセットに補正する段階と、前記補正された地域時間オフセット及び同期チャネルメッセージに含まれた時間情報を下記式に代入して計算する段階と、該計算された結果値を移動通信端末機の画面出力形式に変換してディスプレイする段階と、を行い、地域時間＝ＳＹＳ＿ＴＩＭＥ−（ＬＰ＿ＳＥＣ＊１２．５）＋（ｅｘｔｅｎｄ＿ＬＴＭ＿ＯＦＦ＊１１２５０）の式中、「ＳＹＳ＿ＴＩＭＥ」はＵＴＣ、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）であることを特徴とする移動通信端末機の地域時間補正方法が提供され、これにより、上記目的が達成される。
【００２８】
前記７ビットの地域時間オフセットに拡張する段階は、６ビットの地域時間オフセットを１ビット算術左シフトし、最下位のビットに０を追加する段階を行ってもよい。
【００２９】
前記クオーター・フラグは、同期チャネルメッセージの地域時間オフセットとＧＭＴに対する実際の時間との誤差が＋１５分であると、「００００００１」に設定され、誤差が−１５分であると、「１１１１１１１（−１に対する２の補数）」に設定され、誤差がないと、「０００００００」に設定されてもよい。
【００３０】
前記計算する段階は、補正された地域時間オフセット及び時間情報を１０進数に置換して代入してもよい。
【００３１】
このような目的を達成するため、本発明に係る移動通信端末機の地域時間補正方法は、基地局から時間情報が含まれた同期チャネルメッセージを受信する移動通信端末機であって、前記同期チャネルメッセージに含まれた６ビットの地域時間オフセット（ＬＴＭ＿ＯＦＦ）を７ビットの地域時間オフセットに拡張して、該当地域における実際の地域時間オフセットに換算する段階と、前記換算された地域時間オフセット（ｅｘｔｅｎｄ＿ＬＴＭ＿ＯＦＦ）及び前記時間情報を利用して、現在の地域における地域時間を算出する段階と、を行うことを第１の特徴とする。
【００３２】
また、本発明に係る移動通信端末機の地域時間補正方法は、基地局から時間情報が含まれた同期チャネルメッセージを受信する段階と、前記同期チャネルメッセージから６ビットの地域時間オフセットを検出して７ビットに拡張する段階と、前記拡張された地域時間オフセットと移動通信端末機の内部に保存されているクオーター・フラグ（ｑｕａｒｔｅｒ  ｆｌａｇ）とを加算する段階と、前記加算された結果（ｅｘｔｅｎｄ＿ＬＴＭ＿ＯＦＦ）及び時間情報を利用して地域時間を計算する段階と、前記地域時間を移動通信端末機の画面出力形式に変換してディスプレイする段階と、を行うことを第２の特徴とする。
【００３３】
また、本発明に係る移動通信端末機の地域時間補正方法は、基地局に伝送された同期チャネルメッセージから６ビットの地域時間オフセットを検出する段階と、前記６ビットの地域時間オフセットを７ビットに拡張して、３０分単位の地域時間オフセットを１５分単位の地域時間オフセットに変換する段階と、移動通信端末機の内部メモリに保存されたクオーター・フラグを選択する段階と、前記７ビットの地域時間オフセットとクオーター・フラグとを加算して、実際の地域時間オフセットに補正する段階と、前記補正された地域時間オフセット及び同期チャネルメッセージに含まれた時間情報を下記式に代入して計算する段階と、その計算された結果値を移動通信端末機の画面出力形式に変換してディスプレイする段階と、を行うことを第３の特徴とする。
【００３４】
地域時間＝ＳＹＳ＿ＴＩＭＥ−（ＬＰ＿ＳＥＣ＊１２．５）＋（ｅｘｔｅｎｄ＿ＬＴＭ＿ＯＦＦ＊１１２５０）
上式中、「ＳＹＳ＿ＴＩＭＥ」はＵＴＣ、「ＬＰ＿ＳＥＣ」はうるう秒で、「１２．５」は、１秒を８０ｍｓ単位に統一するために使用するカウント値（１ｓｅｃ／８０×１０−３ｓｅｃ）、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）である。
【発明の効果】
【００３５】
本発明に係る移動通信端末機の地域時間補正方法は、移動通信端末機自体で現在ＣＤＭＡ標準に提示されている６ビットの地域時間オフセットを７ビットの地域時間オフセットに変換することで、地域時間オフセットの精度を向上させると共に、３０分単位で補正し得ない一部地域に対しても正確に地域時間を補正し得るという効果がある。
【００３６】
また、本発明に係る移動通信端末機の地域時間補正方法は、基地局のシステム構造を変更することなく、移動通信端末機の内部でＬＴＭ＿ＯＦＦ値を処理する形式のみを変更して１５分単位で地域時間を補正することで、基地局のシステムの交替による追加費用の発生を抑制し得るという効果がある。
【発明を実施するための最良の形態】
【００３７】
以下、本発明に係る移動通信端末機の地域時間補正方法の最良の実施形態について、図面に基づいて説明する。
【００３８】
本発明に係る移動通信端末機の地域時間補正方法は、移動通信端末機が同期チャネルを通して基地局から受信された６ビットの地域時間オフセットを７ビットに拡張演算することで、地域時間を１５分単位で補正し得るように精度を拡張する。即ち、現在ＣＤＭＡ標準で定義された６ビットの地域時間オフセットを、前記移動通信端末機の内部で自体的に１ビット拡張演算する。
【００３９】
図１は、本発明に係る移動通信端末機の地域時間補正方法を示したフローチャートで、図示されたように、移動通信端末機は、基地局から時間情報（ＳＹＳ＿ＴＩＭＥ、ＬＰ＿ＳＥＣ、ＬＴＭ＿ＯＦＦなど）が含まれた同期チャネルメッセージを受信する（ステップＳ１１）。
【００４０】
その後、前記移動通信端末機の制御部は、前記受信された同期チャネルメッセージから６ビットのＬＴＭ＿ＯＦＦ値を検出し、１ビット算術左シフト（ａｒｉｔｈｍｅｔｉｃ  ｌｅｆｔ  ｓｈｉｆｔ）することで７ビットに拡張する（ステップＳ１２）。このように、前記３０分単位で１ずつカウントされた６ビットのＬＴＭ＿ＯＦＦ値を７ビットに拡張することで、１５分単位で１ずつカウントされた値に変換することができる。
【００４１】
次いで、前記７ビットに拡張されたＬＴＭ＿ＯＦＦ値に、前記移動通信端末機の内部メモリに保存されているクオーター・フラグを加算する（ステップＳ１３）。このとき、前記クオーター・フラグは、−１、０、１に該当する１１１１１１１、０００００００、００００００１である。
【００４２】
次いで、前記クオーター・フラグが加算されたＬＴＭ＿ＯＦＦ（ｅｘｔｅｎｄ＿ＬＴＭ＿ＯＦＦ）、及び前記同期チャネルメッセージから検出された値を１０進数に置換した後、式２に代入して該当地域における地域時間を計算する（ステップＳ１４）。
【００４３】
地域時間＝ＳＹＳ＿ＴＩＭＥ−（ＬＰ＿ＳＥＣ＊１２．５）＋（ｅｘｔｅｎｄ＿ＬＴＭ＿ＯＦＦ＊１１２５０）
上式中、「１２．５」は、１秒を８０ｍｓ単位に統一するために使用するカウント値（１ｓｅｃ／８０×１０−３ｓｅｃ）で、「１１２５０」は、１５分（０．２５ｈｏｕｒ）を８０ｍｓ単位に統一するために使用するカウント値（０．２５ｈｏｕｒ×３６００ｓｅｃ／８０×１０−３ｓｅｃ）である。
【００４４】
その後、前記式２により計算された地域時間を移動通信端末機の画面出力形式に変換し（ステップＳ１５）、該変換された地域時間情報を前記移動通信端末機の画面に出力する（ステップＳ１６）。このとき、前記移動通信端末機に出力される地域時間情報は、現在の位置における現在時刻である。
【００４５】
本発明に係る移動通信端末機の地域時間補正方法を利用して、ネパール地域に対する地域時間を計算すると次のようである。
【００４６】
前記ネパール地域の実際の地域時間オフセットはＧＭＴ＋５：４５で、３０分単位でカウントするＣＤＭＡ標準案の地域時間オフセット値とは最大＋／−１５分の誤差を有する。即ち、前記ネパール地域の基地局で移動通信端末機に同期チャネルメッセージを伝送するとき、前記同期チャネルメッセージに含まれたＬＴＭ＿ＯＦＦ値としては、５時間３０分または６時間を選択して伝送する。
【００４７】
（１）  前記基地局がＬＴＭ＿ＯＦＦ値を５時間３０分に指定して伝送する場合、前記同期チャネルメッセージに含まれたＬＴＭ＿ＯＦＦ値は、１０進数１１（１１＊３０分＝３３０分＝５時間３０分）に該当する「００１０１１」である。即ち、前記同期チャネルメッセージのＬＴＭ＿ＯＦＦ値として、６ビットの２進数「００１０１１」が伝送される。
【００４８】
前記同期チャネルメッセージを受信した移動通信端末機は、前記ＬＴＭ＿ＯＦＦ値を１ビット算術左シフトし、最下位のビットに０を追加して７ビットに拡張した後、その値にクオーター・フラグを加算する。このとき、前記拡張されたＬＴＭ＿ＯＦＦ値は「００１０１１０」で、クオーター・フラグは「００００００１」で、加算された結果値は「００１０１１１」である。
【００４９】
即ち、前記６ビットのＬＴＭ＿ＯＦＦ値を７ビットに拡張することで、３０分単位のＬＴＭ＿ＯＦＦ値を１５分単位のＬＴＭ＿ＯＦＦ値に変換し、その値にクオーター・フラグを加算して、実際の地域時間オフセットと前記同期チャネルメッセージに含まれたＬＴＭ＿ＯＦＦ値との誤差（＋１５分）を加算することで、該当地域における正確なＬＴＭ＿ＯＦＦ値を算出する。
【００５０】
前記結果値「００１０１１１」は、１０進数では２３となり、カウントの単位は、３０分でなく１５分単位で解析する。よって、前記結果値２３は、該当地域の地域時間オフセットが＋３４５分（２３＊１５分）で、ＧＭＴ＋５：４５であることを示す。
【００５１】
前記結果値２３及び前記同期チャネルメッセージに含まれた時間関連情報を式２に代入して８０ｍｓ単位のカウント値として出力した後、移動通信端末機の画面上に現在の時刻を調整して出力する。
【００５２】
（２）  前記基地局がＬＴＭ＿ＯＦＦ値を６時間に指定して伝送する場合、前記同期チャネルメッセージに含まれたＬＴＭ＿ＯＦＦ値は、１０進数１２（１２＊３０分＝３６０分＝６時間）に該当する「００１１００」である。
【００５３】
前記ＬＴＭ＿ＯＦＦ値を１ビット算術左シフトして７ビットに拡張すると「００１１０００」となり、その値にクオーター・フラグの「１１１１１１１（−１の２の補数）」を加算すると「００１０１１１」となる。このとき、前記加算された値から７ビットを超過するオーバーフローしたビットは捨てる。
【００５４】
前記結果値「００１０１１１」は１０進数では２３となり、該当地域の地域時間オフセットはＧＭＴ＋５：４５であることを示すので、前記基地局ではＬＴＭ＿ＯＦＦ値を５時間３０分に設定して伝送する場合と同様に、１５分単位の正確な時間を算出することができる。
【００５５】
本発明に係る移動通信端末機の地域時間補正方法を利用して、３０分単位の地域時間オフセットを有する地域の地域時間を計算すると次のようである。
【００５６】
米国カンザスシティーの地域時間オフセットはＧＭＴ−６：００で、基地局から伝送される同期チャネルメッセージのＬＴＭ＿ＯＦＦ値は、１０進数−１２に該当する「１１０１００（−１２の２の補数）」である。
【００５７】
前記同期チャネルメッセージを受信した移動通信端末機は、前記ＬＴＭ＿ＯＦＦ値の「１１０１００」を１ビット算術左シフトして「１１０１０００」を算出する。
【００５８】
前記「１１０１０００」にクオーター・フラグ値の「０００００００」を加算することで、３０分単位の地域時間オフセットを１５分単位の地域時間オフセットに変換する。
【００５９】
前記変換された値「１１０１０００」は１０進数−２４に対する２の補数で、カウント単位は、３０分でなく１５分単位であるので、カンザスシティーの地域時間オフセットは、−３６０分（−２４＊１５分）、即ち、ＧＭＴ−６：００であることを示す。
【００６０】
前記結果値−２４及び前記同期チャネルメッセージに含まれた時間関連情報を式２に代入して８０ｍｓ単位のカウント値として出力した後、移動通信端末機の画面上に現在の時刻を調整して出力する。
【００６１】
前述したように、基地局から伝送される６ビットのＬＴＭ＿ＯＦＦ値を、移動通信端末機の内部で１ビット拡張して７ビットのＬＴＭ＿ＯＦＦ値に変換することで、地域時間オフセットに対する精度を高めることができる。
【００６２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
（要旨）
本発明は、移動通信端末機の内部で地域時間オフセットの精度を拡張して、３０分単位の地域時間オフセットを１５分単位の地域時間オフセットに補正することで、３０分単位の地域時間オフセットによっては地域時間を算出し得ない地域に対しても正確に地域時間を算出し得る移動通信端末機の地域時間補正方法を提供する。基地局から時間情報が含まれた同期チャネルメッセージを受信する移動通信端末機であって、前記同期チャネルメッセージに含まれた６ビットの地域時間オフセット（ＬＴＭ＿ＯＦＦ）を７ビットの地域時間オフセットに拡張して、該当地域における実際の地域時間オフセットに換算する段階と、前記換算された地域時間オフセット（ｅｘｔｅｎｄ＿ＬＴＭ＿ＯＦＦ）及び前記時間情報を利用して、現在の地域における地域時間を算出する段階と、を行うことで移動通信端末機の地域時間を補正する。
【図面の簡単な説明】
【００６３】
【図１】本発明に係る移動通信端末機の地域時間補正方法を示したフローチャートである。
【図１】
2004343758.tif 000004